(57)【要約】【課題】受信した電波の音声情報を記録し、任意の時に再生できる機能を備えた車両用ラジオ受信装置において、受信周波数の切り替えがあっても、切り替え時の雑音などのない状態で再生できるようにする。【解決手段】受信する放送局（受信電波の周波数）が切り替えられた際、その切り替えが手動によるものであるか、自動によるものであるかを判別し、手動による場合には、記憶手段に記録した音声情報の再生時、再生開始を放送局の切り替え終了後から行うので、再生時に、雑音が耳に入ったり、無音で音声出力がされない期間があったりすることを防止する。【選択図】図２
2008136094.tif 000002
【特許請求の範囲】
【請求項１】
ラジオ放送電波の受信中、そのラジオ放送電波の音声情報を記録する記憶手段を備え、この記憶手段に記録した音声情報を任意のときに再生可能な車両用ラジオ受信装置において、
受信する電波の周波数を手動操作によって切り替えるための手動切替手段と、
予め定められた所定条件が満たされたとき、受信する電波の周波数を自動的に切り替える自動切替手段と、
受信する電波の周波数が切り替えられる際、その切り替えが前記手動切替手段によるか、前記自動切替手段によるかを判別する切替状況判別手段と、
受信する電波の周波数の切り替えが前記手動切替手段によるものと判別されたとき、前記記憶手段に記録した音声情報の再生時、受信する電波の周波数の切り替え終了時点から再生開始を行う再生位置制御手段
を備えてなる車両用ラジオ受信装置。
【請求項２】
前記再生位置制御手段に代えて、受信する電波の周波数の切り替えが前記手動切替手段によるものと判別されたとき、当該切り替えの際の前記記憶手段への前記音声情報の記録を中止する記録中止制御手段を備えてなる請求項１記載の車両用ラジオ受信装置。
【発明の詳細な説明】
【技術分野】
【０００１】
本発明は、受信した電波の音声情報を記録し、任意の時に再生できる機能を備えた車両用ラジオ受信装置に関する。
【背景技術】
【０００２】
車両用ラジオ受信装置において、受信中のラジオ放送の音声をメモリに自動的に記録し、任意のときに記録した音声を再生できるようにしたものがある（例えば、特許文献１参照）。このものでは、車両の運転操作に集中していて、大切な情報を聞き漏らしてしまったような場合、その聞き漏らした部分に戻って再生することができるという利便性がある。
【０００３】
一方、車両用ラジオ受信装置では、受信する放送局を変更する場合、通常は手動で行うが、中には、ネットワークフォロー機能を備えていて、電波強度に応じて自動的に受信放送局の切り替えを行うものもある（例えば、特許文献２参照）。このネットワークフォロー機能とは次のようなものである。
【０００４】
即ち、ラジオ放送では、電波の受信範囲の関係から、地域毎に放送局を設け、各放送局は、近隣の放送局の周波数と異なる周波数で放送している。そして、広い範囲で同一の放送を行う場合に、複数の放送局から異なる周波数で同一内容の放送を行っている。このため、車両用ラジオ受信装置では、長距離区間を走行するような場合、受信中の放送と同一内容の放送が別の放送局からの方がより良好に受信できることがある。このように、現在受信中の放送と同一内容の放送を、より良好に受信できる放送局が別にある場合、受信する放送局を、現在受信中の放送局からより良好に受信できる別の放送局に自動的に切り替える機能をネットワークフォロー機能という。
【特許文献１】特公平５−３１８５６号公報
【特許文献２】特開平５−１８３３９２号公報
【発明の開示】
【発明が解決しようとする課題】
【０００５】
上記した音声情報の自動記録機能を備えたラジオ受信装置では、受信する放送局を手動で変更する場合、受信周波数を好みの放送局の放送周波数に合わせる間に雑音が入ったり、短いけれども無音期間が入ったりする。そこで、受信する放送局の切り替えが行われるような場合には、メモリへの音声情報の記録を中止することが考えられる。しかしながら、このようにすると、ネットワークフォロー機能により、自動で瞬間的に放送局が切り替えられることから、雑音などが入らないような場合であっても、音声情報の記録が中止されてしまい、本来ならば、放送局の切り替えがあっても、同一内容の音声情報を連続的に記録できるにもかかわらず、これが途切れてしまうという不具合を生ずる。
【０００６】
本発明は上記の事情に鑑みてなされたもので、その目的は、受信した電波の音声情報を記録し、任意の時に再生できる機能を備えた車両用ラジオ受信装置において、ネットワークフォロー機能などによる受信周波数の自動切替の場合に、音声情報の記録が中断されることがなく、しかも、再生時には、手動切替時の雑音や無音状態を再生することのない車両用ラジオ受信装置を提供することにある。
【課題を解決するための手段】
【０００７】
本発明の車両用ラジオ受信装置では、受信する電波の周波数が切り替えられた際、その切り替えが手動によるものであるか、自動によるものであるかを判別し、手動による場合には、記憶手段に記録した音声（音）情報の再生時に、周波数の切り替え終了時点から再生開始を行う、または、当該手動による切り替えの際の記憶手段への音声情報の記録を中止するので、再生時に、雑音が耳に入ったり、無音で音声出力がなされない期間があったりすることを防止できる。
【発明を実施するための最良の形態】
【０００８】
以下、本発明の一実施形態を図１ないし図４に基づいて説明する。図１に示すように、車両用ラジオ受信装置１は、制御回路２に、受信装置３、音声出力手段としてのスピーカ４、操作スイッチ装置５、リモコン６と対をなすリモコンセンサ７、記憶手段としての外部記憶装置８、カラー液晶ディスプレイなどの表示装置９を接続して構成されている。
【０００９】
なお、本実施形態の車両用ラジオ受信装置１は、カーナビゲーション装置に組み込まれた例を示しており、図１に示す表示装置９は、道路地図を表示するためのものである。また、制御回路２には、車両用ラジオ受信装置１用の制御部とカーナビゲーション用の制御部とが含まれるが、ここでは、カーナビゲーション用の制御部は、表示装置９の表示を制御するだけであるから、以下の説明では、車両用ラジオ受信装置１用の制御部があるだけとして説明する。
【００１０】
上記制御回路２は、マイクロコンピュータ（制御部）を主体とするもので、ＣＰＵ、ＲＡＭ、ＲＯＭ、これらを接続するバス（いずれも図示せず）を含んで構成されている。操作スイッチ装置５は、表示装置９の表示画面の周囲に設けられたメカニカルスイッチおよび表示画面に設けられたタッチパネル（いずれも図示せず）から構成されている。この操作スイッチ装置５は、リモコン６も含めて手動切替手段として機能し、聞きたい放送局を選択する場合に操作される。外部記憶装置８は、ハードディスク装置やフラッシュメモリなどから構成され、後述のように受信中のラジオ放送の音声情報を記録する。
【００１１】
前記受信装置３は、アンテナ１０の他に、主チューナ１１、従チューナ１２、電波強度比較部１３、切替部１４を備えている。主チューナ１１は、操作スイッチ装置５やリモコン６の操作によって選択された周波数（放送局）のラジオ放送を受信したり、或いは操作スイッチ装置５やリモコン６の操作によって受信する周波数を連続的に変化させて受信電波強度が所定値以上になると、その周波数に受信周波数を固定したりする。従チューナ１２は、主チューナ１１が現在受信中の放送と同一内容の放送を行っている別の周波数のラジオ放送を受信する。
【００１２】
この場合、従チューナ１２が受信する周波数は、操作スイッチ装置５やリモコン６の操作によらず、制御回路２から直接指示される。即ち、例えば制御回路２が有するＲＯＭ（周波数記憶手段）には、個々の放送局（周波数）について、同じ内容で放送する別の放送局の周波数をテーブル化して記憶している。そして、制御回路２は、主チューナ１１で現在受信中の放送局に基づいて、ＲＯＭから同一内容で放送している放送局の周波数を取得し、これを従チューナ１２に与える。すると、従チューナ１２は、制御回路２から与えられた周波数のラジオ放送を受信する。同一内容で放送している放送局が複数存在する場合には、制御回路２は、一定の時間間隔をおいて従チューナ１２にそれら放送局の周波数を順に繰り返し与える。
【００１３】
電波強度比較部１３は、主チューナ１１で受信している電波強度と、従チューナ１２で受信している電波強度とを比較する。そして、電波強度比較部１３が主チューナ１１の受信電波強度よりも従チューナ１２の受信電波強度の方が強いと判定したとき（予め定められた条件が満たされたとき）、切替部１４は、主チューナ１１に対して受信周波数を従チューナ１２の受信周波数に切り替える指示を与える。これにより、主チューナ１１は、受信周波数をより電波強度の高い周波数に切り替える。この場合の切替部１４は、受信周波数を自動的に切り替える自動切替手段として機能する。
【００１４】
なお、従チューナ１２が周波数の自動走査によって自動選局すると共に、選局した放送局が現在出力チューナ１１で受信している放送局と同一放送内容であることを判定する放送内容判定手段を設け、この放送内容判定手段が同一内容と判定したとき、電波強度比較部１３が、主チューナ１１で受信している電波強度と、従チューナ１２で受信している電波強度とを比較するように構成しても良い。
【００１５】
以上のことから、制御回路２は、場所の如何にかかわらず、常に最良のラジオ放送信号を主チューナ１１から取得することができる。そして、制御回路２は、取得したラジオ放送信号をスピーカ４から音声として出力すると共に、ラジオ放送信号がアナログの場合にはデジタル化して、デジタル信号の場合にはそのままを音声情報として外部記憶装置８に記憶させる。外部記憶装置８が記憶できる音声情報量は、所定時間、例えば１時間で放送される音声を記録できる程度の量に定められている。そして、主チューナ１１が受信中のラジオ放送の音声情報は、古い方の記録情報から順に更新してゆくことにより、常に最新１時間のラジオ放送の音声情報を記録するようになっている。
【００１６】
外部記憶装置８に記録した音声情報は、リモコン６或いは操作スイッチ装置５の操作によって再生することができる。即ち、再生の操作がなされると、制御回路２は、外部記憶装置８の最新の記録個所より所定時間前、例えば５分前に記録した個所から音声情報を読み取る。制御回路２は、外部記憶装置８から読み取った音声情報をアナログ化してスピーア４から音声出力する。
【００１７】
この場合、外部記憶装置８において、最新の記録個所から５分前への遡及は、例えばアドレスに基づいて行う。つまり、外部記憶装置８への音声情報の記録は、制御回路２の制御下で行われるから、制御回路２は、図４にＡで示す再生操作がなされた現在時点での記録アドレスと、図４にＶで示す５分間の音声情報の記録に必要な記憶容量とから、５分前の記録アドレスを演算し、その演算により求めたアドレスから音声情報を順に読み出してスピーカ４から音声出力するように構成されている。
【００１８】
ところで、ユーザが放送局を変えるために、操作スイッチ装置５のうちの選局用スイッチやチューニング用ダイヤルを操作すると、主チューナ１１の受信周波数が変化してユーザ所望の周波数（放送局）のラジオ放送を受信するようになるまでの間、制御回路２側に雑音が入ったり、無音の期間が生じたりすることがある。このような受信周波数の切り替え時に生ずる雑音や無音期間は、外部記憶装置８にも記録される。このため、そのままでは、外部記憶装置８に記録した音声情報の再生時に、雑音がスピーカ４から流れたり、無音期間があったりしてユーザの気分を害する。
【００１９】
しかしながら、本実施形態では、そのような受信周波数の切り替え時に、雑音が入ったり、無音期間が生じたりしても、再生時に雑音や無音期間がないようにすることができる。このことを、図２および図３のフローチャートをも参照しながら説明する。
車両用ラジオ受信装置１に電源が投入され、受信回路３が放送電波の受信を開始すると、制御回路２は、受信電波による音声情報をスピーカ４から音声出力すると共に、その音声情報を外部記憶装置８に順次記録してゆく（図２のステップＳ１で「ＮＯ」、ステップＳ２の繰り返し）。
【００２０】
ユーザが別の放送局に切り換えて別の放送番組を聴きたくなったりして、操作スイッチ装置５またはリモコン６により、主チューナ１１の受信周波数を切り替える操作が行われると（手動切替）、その操作内容に応じた信号が制御回路２から主チューナ１１に送られるので、主チューナ１１は、受信周波数を変更し、ユーザの好みの放送局の放送電波を受信するようになる。
【００２１】
主チューナ１１の受信周波数の切り替えは、ユーザの手動操作ばかりでなく、受信装置３のネットワークフォロー機能により自動的に行われる場合がある。つまり、車両が長距離区間を走行した際、従チューナ１２が受信する放送局の電波強度の方が主チューナ１１が受信中の電波強度よりも強い場合、主チューナ１１の受信する放送局が従チューナ１２の受信している放送局に自動的に切り替えられるのである（自動切替）。
【００２２】
以上の手動切替或いは自動切替によって主チューナ１１の受信する周波数が変更されると、制御回路２は、周波数の変更が手動切替によるものか否かを判断する（ステップＳ３：切替状況判別手段）。本実施形態では、周波数切替が手動、自動のいずれであっても、制御回路２は、外部記憶装置８への音声情報の記憶をそのまま継続し（ステップＳ３で「ＮＯ」、ステップＳ２またはステップＳ３で「ＹＥＳ」、ステップＳ４）、中止することはない。
【００２３】
音声情報の記録がそのまま継続されても、周波数切替が自動の場合には、受信周波数の切り替えは、従チューナ１２からの周波数情報によって瞬時に行われるので、音声情報の記録をそのまま継続させても、雑音が入ったり、無音期間が生じたりすることはない。従って、再生時に、その周波数切り替え時点の前後の音声がスピーカ４から出力されても、雑音が入ったり、無音期間が入ったりすることはない。
【００２４】
一方、周波数切り替えが手動によるものであった場合には、外部記憶装置８へ雑音や無音期間が記録される場合がある。しかしながら、この手動切替の場合には、制御回路２は、手動操作による主チューナ１１の受信周波数の切り替えが終了すると、その時点で外部記憶装置８に切替位置表示情報を記録する。この切替位置表示情報は、周波数切替が終了した時点での外部記憶装置８の音声情報の記録アドレスを別の記憶エリアに記録するようにしても良いし、周波数切替終了時点での外部記憶装置８の音声情報記録アドレスの次のアドレスに記録するようにしても良い。
【００２５】
さて、ラジオ放送を聞いているとき、例えば運転に気を取られていて、大切な情報を聞き漏らしたりすることがある。このような場合、ユーザは、操作スイッチ装置５或いはリモコン６の再生スイッチを操作する。すると、外部記憶装置８に記録されているラジオ放送が前に遡って再生されるようになる。即ち、再生スイッチが操作されると、制御回路２は、まず、現在の音声情報の記録アドレスから５分前までの記録アドレスの間に、手動操作による周波数切り替えがあったか否かを検出する（図３のステップＡ１で「ＮＯ」、ステップＡ２）。この検出は、切替位置表示情報の有無によって行う。
【００２６】
５分前に遡るまでの間に手動切替による周波数変更がなければ（ステップＡ２で「ＮＯ」）、制御回路２は、５分前の音声情報から再生を開始し（ステップＡ３）、以後、外部記憶装置８に記憶された音声情報の再生を継続する（ステップＡ１で「ＹＥＳ」、ステップＡ５の繰り返し）。また、５分前に遡るまでの間に手動切替による周波数変更があった場合（ステップＡ２で「ＹＥＳ」）、その周波数変更を終了したアドレスから音声情報の再生を開始し（ステップＡ４：再生位置制御手段）。以後、外部記憶装置８に記憶された音声情報の再生を継続する（ステップＡ１で「ＹＥＳ」、ステップＡ５の繰り返し）。
この再生中も、図２による外部記憶装置８への音声情報の記録は継続して行われる。このため、ユーザは聞きたい放送番組をある時間遅れてではあるが、全て聴くことが可能となる。
【００２７】
このように本実施形態によれば、主チューナ１１が電波を受信している間、受信周波数の切り替えの有無に関わらず、受信電波の音声情報を外部記憶装置８に絶え間なく記録してゆくことができる。従って、聞き漏らした部分をいつでも再生して聞きなおすことができる。
【００２８】
しかも、受信周波数の切り替えが行われた場合、雑音などが入る恐れのないネットワークフォロー機能による自動切り替えによるときには、ユーザの再生要求に対しては、通常通り、所定時間（５分）前から再生するが、その所定時間前以降に手動による周波数切り替えがあった場合には、その手動切替終了後から再生するようにしたので、再生時に周波数切り替えによる雑音などをユーザに聞かせてしまうといった不具合を生ずる恐れがない。
【００２９】
次に、本発明の他の実施形態を図５および図６に基づいて説明する。この実施形態が上述の第１の実施形態と異なるところは、手動操作による周波数切替があった場合には、その切り替えが終了するまで、音声情報の記録を中止するようにしたところにある。
即ち、図５に示すように、手動切替による受信周波数の変更があった場合、制御回路２は、外部記憶装置８への音声情報の記録を中止する（ステップＢ４：記録中止制御手段）。そして、受信周波数の切り替えが終了して受信する放送局が決定されると（ステップＢ５で「ＹＥＳ」）、制御回路２は、外部記憶装置８への音声情報の記録を再開する（ステップＢ６）。
そして、図６に示すように、再生操作がなされた場合、制御回路２は、外部記憶装置８の音声情報記録エリアにおいて最新の記録アドレスから所定時間（例えば５分）分の記憶容量だけ遡ったところから再生を開始する（ステップＣ２）。
【００３０】
なお、本発明は上記し且つ図面に示す実施例に限定されるものではなく、以下のような変更または拡張が可能である。
自動切替は、ネットワークフォローによるものに限らず、現在受信中の放送に、例えば交通情報や災害情報の放送の割込み信号が入った場合（予め定められた所定条件が満たされたときに相当）、その割込みに応じて交通情報や災害情報を放送する放送局の周波数に切り替えるものであっても良い。
受信強度比較部１３、切替部１４の機能は、制御回路２が担う構成としても良い。
受信周波数の自動切替があった場合、これを表示装置９に表示してユーザに報知するようにしても良い。
ラジオ受信装置は、カーナビゲーション装置組み込み型のものに限らない。
【図面の簡単な説明】
【００３１】
【図１】本発明の一実施形態を示すもので、車両用ラジオ受信装置の電気的構成のブロック図
【図２】音声情報記録のフローチャート
【図３】音声情報再生のフローチャート
【図４】外部記憶装置への音声情報記録と再生位置とを示す概念図
【図５】本発明の他の実施形態を示す図２相当図
【図６】図３相当図
【符号の説明】
【００３２】
図中、２は制御回路（切替状況判別手段、再生位置制御手段、記録中止制御手段）、３は受信装置、４はスピーカ、５は操作スイッチ装置（手動切替手段）、６はリモコン（手動切替手段）、８は外部記憶装置（記憶手段）、１１は主チューナ、１２は従チューナ、１３は受信強度比較部、１４は切替部（自動切替手段）である。
【図１】
2008136094.tif 000003
【図２】
2008136094.tif 000004
【図３】
2008136094.tif 000005
【図４】
2008136094.tif 000006
【図５】
2008136094.tif 000007
【図６】
2008136094.tif 000008